【事件の表示】
　特許第３１８６０１９号「電気掃除機」の請求項１、２に係る特許に対する特許異議の申立てについて、次のとおり決定する。
【結　論】
　訂正を認める。
　特許第３１８６０１９号の請求項１ないし２に係る特許を維持する。
【理　由】
〔１〕手続の経緯
　本件特許３１８６０１９号（以下「本件特許」という。）は、平成７年９月１４日に特許出願されたものであって、平成１３年５月１１日に設定登録がされ、同年７月１１日に特許公報に掲載されたものであり、これに対して、特許異議申立人松下電器産業株式会社より、本件の請求項１及び請求項２に係る発明の特許に対して、平成１４年１月９日付けで特許異議の申立てがされ、その後、当審の取消理由通知に対して、平成１４年６月４日付け訂正請求書により訂正請求がされたものである。
    
〔２〕訂正事項と訂正の適否についての判断
１．本件訂正請求は、以下の事項について訂正するものである。
(ア)特許請求の範囲の記載を以下の請求項１〜２のとおりとする。
「請求項１
　可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、　前記カバー体は、一縁近傍に設けられた係合部と、この一縁に対して反対側縁近傍に設けられた保持部と、前記ねじが挿通されるねじ孔とを備え、
　前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、
前記ケース体の前部には、前記カバー体を前記ケース体に前記ねじにて固定する取付部が前方に突出して設けられ、
前記取付部には、前記位置決め部と前記ねじ取付孔とが設けられている
  請求項２
　
取
は位
取付
の一
がカ
をケ
られている
(イ)発明の詳細な説明の段落０００５を以下のとおり訂正する。
「請求項１記載の電気掃除機は、可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、前記カバー体は、一縁近傍に設けられた係合部と、この一縁に対して反対側縁近傍に設けられた保持部と、前記ねじが挿通されるねじ孔とを備え、前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、前記ケース体の前部には、前記カバー体を前記ケース体に前記ねじにて固定する取付部が前方に突出して設けられ、前記取付部には、前記位置決め部と前記ねじ取付孔とが設けられている
　　
(ウ)発明の詳細な説明の段落０００６を以下のとおり訂正する。
「請求項２記載の電気掃除機は、請求項１記載の電気掃除機において
、取
は位
取付
の一
がカ
をケ
られている
ねじ孔
ねじ取付孔
　
(エ)発明の詳細な説明の段落００３２中の「また、カバー体71のねじ孔83および嵌合孔84を取付方向に沿って直線上に設けず、ねじ取付孔89を有した取付部と嵌合凸部88を有した取付部とをそれぞれ別個に設けてもできる。」との記載を削除する。
　
(オ)発明の詳細な説明の段落００３３中の「さらに、カバー体71に係合部および保持部を有した取付部87を設け、本体ケース２の上端縁に位置決め部およびねじ取付孔を設けてもできる。」との記載を削除する。
　
(カ)発明の詳細な説明の段落００３５を以下のとおり訂正する。
「請求項２記載の電気掃除機によれば、請求項１記載の電気掃除機に加え、カバー体の保持部をケース体の位置決め部に係合させるカバー体の取付方向に沿ってカバー体をケース体に取り付ける取付部
に位
の一
ねじ孔
ねじ取付孔
　
２．そこで、訂正事項について検討する。
　請求項１に係る訂正は、カバー体のケース体への取付部の位置並びに位置決め部及びねじ取付孔の配置を限定したものであるから、請求項１に係る訂正は、全体として、特許請求の範囲の減縮に当たるものと認められる。
　請求項２に係る訂正は、「この取付部に係合部とねじ孔と、および、位置決め部とねじ孔とのいずれか一対を前記カバー体を前記ケース体に取り付ける方向に沿って設けた」としていたのを「位置決め部とねじ取付孔との一対」に限定したものであるから、この訂正は特許請求の範囲の減縮に当たるものと認められ、「ねじ孔」を「ねじ取付孔」とした点は誤記を訂正であると認められる。
  発明の詳細な説明の訂正は、請求項の訂正に伴って、訂正後の特許請求の範囲の記載と整合させたものであると認められる。
　そして、各訂正事項は、いずれも願書に添付した明細書に記載された事項であり、かつ、全体として、実質上特許請求の範囲を拡張し又は変更するものでもない。
　そうすると、本件訂正の目的は、特許法第１２０条の４第２項ただし書第１号及び第２号に該当し、また、本件訂正事項は、同条第３項で準用する第１２６条第２項及び第３項の規定にも適合する。
  したがって、本件各訂正はこれを認める。
　
〔３〕特許異議申立てについての判断
１．本件請求項１及び請求項２に係る発明は、訂正された明細書及び図面の記載からみて、その特許請求の範囲の請求項１及び請求項２に記載されたとおりのものにある（上掲〔２〕１．(ア)）。
　
２．これに対して、特許異議申立人の提示した検甲第１号証に係る「松下電器産業株式会社製ＭＣ−Ｓ９０ＶＰ電気掃除機」は、平成１４年５月２４日期日の検証の結果、本件訂正前の請求項１及び請求項２に記載された発明の構成を実質的に具備するものと認められる一方、上記明細書の訂正に係る構成の、ケース体の前部にカバー体をケース体にねじにて固定する取付部が前方に突出して設けられるとともに、取付部に位置決め部とねじ取付孔とが設けられた構成は具備しない点で、両者は相違する。
　そして、この相違点に係る構成が自明であるか、もしくはこの構成を具備する発明が当業者が容易になし得るとするとすることはできない。
  したがって、その余について検討するまでもなく、本件請求項１及び請求項２に係る発明が、検甲第１号証に係る電気掃除機の存在によって、本件特許の出願前に日本国内において公然実施をされたものであるとも、また、検甲第１号証に係る電気掃除機から当業者が容易に発明をすることができたものであるとすることはできない。
　
〔４〕まとめ
　以上によれば、特許異議申立人の主張する申立ての理由及び提出した証拠方法によっては、本件特許を取り消すことはできない。また、ほかに本件特許を取り消すべき理由を発見しない。
　よって、結論のとおり決定する。
【異議決定日】
平成１４年６月６日（２００２．６．６）
【訂正の要旨】
（ア）特許請求の範囲の記載を以下の請求項１〜２のとおりとする。
「請求項１
　可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、
　前記カバー体は、一縁近傍に設けられた係合部と、この一縁に対して反対側縁近傍に設けられた保持部と、前記ねじが挿通されるねじ孔とを備え、
　前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、
　
前記ケース体の前部には、前記カバー体を前記ケース体に前記ねじにて固定する取付部が前方に突出して設けられ、
　
前記取付部には、前記位置決め部と前記ねじ取付孔とが設けられている
　ことを特徴とする電気掃除機。
　請求項２
　
取
は位
取付
の一
がカ
をケ
られている
（イ）発明の詳細な説明の段落０００５を以下のとおり訂正する。
「請求項１記載の電気掃除機は、可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、前記カバー体は、一縁近傍に設けられた係合部と、この一縁に対して反対側縁近傍に設けられた保持部と、前記ねじが挿通されるねじ孔とを備え、前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、前記ケース体の前部には、前記カバー体を前記ケース体に前記ねじにて固定する取付部が前方に突出して設けられ、前記取付部には、前記位置決め部と前記ねじ取付孔とが設けられている
（ウ）発明の詳細な説明の段落０００６を以下のとおり訂正する。
「請求項２記載の電気掃除機は、請求項１記載の電気掃除機において
、取
は位
取付
の一
がカ
をケ
られている
ねじ孔
ねじ取付孔
（エ）発明の詳細な説明の段落００３２中の「また、カバー体７１のねじ孔８３および嵌合孔８４を取付方向に沿って直線上に設けず、ねじ取付孔８９を有した取付部と嵌合凸部８８を有した取付部とをそれぞれ別個に設けてもできる。」との記載を削除する。
（オ）発明の詳細な説明の段落００３３中の「さらに、カバー体７１に係合部および保持部を有した取付部８７を設け、本体ケース２の上端縁に位置決め部およびねじ取付孔を設けてもできる。」との記載を削除する。
（カ）発明の詳細な説明の段落００３５を以下のとおり訂正する。
「請求項２記載の電気掃除機によれば、請求項１記載の電気掃除機に加え、カバー体の保持部をケース体の位置決め部に係合させるカバー体の取付方向に沿ってカバー体をケース体に取り付ける取付部
に位
の一
ねじ孔
ねじ取付孔
（５４）【発明の名称】
電気掃除機
（５７）【特許請求の範囲】
　【請求項１】　可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、
　前記カバー体は、一縁近傍に設けられた係合部と、この一縁に対して反対側縁近傍に設けられた保持部と、前記ねじが挿通されるねじ孔とを備え、
　前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、
　
前記ケース体の前部には、前記カバー体を前記ケース体に前記ねじにて固定する取付部が前方に突出して設けられ、
　
前記取付部には、前記位置決め部と前記ねじ取付孔とが設けられている
　ことを特徴とする電気掃除機。
　【請求項２】
　取
は位
取付
の一
がカ
をケ
られている
　ことを特徴とする請求項１記載の電気掃除機。
【発明の詳細な説明】
　【０００１】
　【発明の属する技術分野】
　本発明は、上ケースおよび下ケースにて挟持されるバンパを保持するカバー体を有した電気掃除機に関する。
　【０００２】
　【従来の技術】従来、この種の電気掃除機としては、例えば図６に示すように、上ケース９１および下ケース９２に側面から前面に亘って帯状の可撓性を有するバンパ９３を挟持したケース体９４を有している。このケース体９４の前面には、ケース体９４内に電動送風機を収容する電動送風機室に集塵室を介して連通する吸込口９６を開口している。さらに、ケース体９４の前面には、吸込口９６に対向しこの吸込口９６に嵌挿されるホースの接続管を挿通する挿入孔９７を開口するカバー体９８を、吸込口９６の縁近傍に位置するバンパ９３の端部９３ａをケース体９４に押し付け保持してねじ止めしている。
　【０００３】
　【発明が解決しようとする課題】
　しかしながら、上記図６に示す従来の電気掃除機において、カバー体９８をケース体９４に組み付ける際、可撓性を有するバンパ９３を弾性に抗してケース体９４に押し付けてカバー体９８のねじ孔をケース体９４のねじ取付孔に位置決めし、この状態を維持しつつねじ止めしなければならず、カバー体９８の組み付け作業が煩雑で、製造性が低下する問題がある。
　【０００４】
　本発明は、上記問題点に鑑みなされたもので、カバー体の組み付けが容易な電気掃除機を提供することを目的とする。
　【０００５】
　【課題を解決するための手段】
　請求項１記載の電気掃除機は、可撓性を有するバンパを挟持して下ケースに上ケースが接合され、内部に電動送風機を収容する電動送風機室およびこの電動送風機室の負圧側に位置し吸込口を開口した集塵室を区画するケース体と、前記ケース体との間で前記バンパを挟持して前記ケース体の前部にねじにて固定され前記吸込口に対向しホースの接続管を挿入する挿入孔を開口した略板状のカバー体とを備えた電気掃除機において、前記カバー体は、一縁近傍に設けられた係合部と、この一縁に対して反対側縁近傍に設けられた保持部と、前記ねじが挿通されるねじ孔とを備え、前記ケース体は、前記ねじが螺着されるねじ取付孔と、前記カバー体の係合部を係止する係止部と、前記保持部に係合して前記カバー体のねじ孔を前記ねじ取付孔に位置決めする位置決め部とを備え
、前記ケース体の前部には、前記カバー体を前記ケース体に前記ねじにて固定する取付部が前方に突出して設けられ、前記取付部には、前記位置決め部と前記ねじ取付孔とが設けられている
　【０００６】
　請求項２記載の電気掃除機は、請求項１記載の電気掃除機において
、取
は位
取付
の一
がカ
をケ
られている
ねじ孔
ねじ取付孔
　【０００７】
　【発明の実施の形態】
　以下、本発明の電気掃除機の実施の一形態を図面を参照して説明する。
　【０００８】
　図１ないし図５において、１は電気掃除機本体で、この電気掃除機本体１は、上面を開口した下ケースである下部ケース２ａ、および、この下部ケース２ａの後部上面を閉塞する上ケースである上部ケース２ｂとが、前面を含む周縁にバンパ３を挟持して接合されて前側上面部を開口したケース体としての本体ケース２を有し、この本体ケース２に前側上面部の開口を開閉自在に閉塞する蓋体４を回動自在に軸支して形成されている。
　【０００９】
　そして、本体ケース２には、進行方向の前側下面に旋回自在の旋回輪５が取り付けられ、本体ケース２の後側側面に走行輪としての大径の従動後輪６，６が回転自在に設けられ、電気掃除機本体１は旋回輪５と従動後輪６，６とにて図示しない床面上を走行可能となっている。さらに、本体ケース２の上部には、上下方向に摺動自在のハンドル７が設けられている。
　【００１０】
　また、本体ケース２の後面上部である上部ケース２ｂの後面部および本体ケース２の後面下部である下部ケース２ａの後面上部には、本体ケース２の後面を下面として立位状態で図示しない床面に載置した際、本体ケース２の後面が床面に所定の間隙を介するように床面に当接する後方に向けて突出する載置部８，８が４箇所設けられている。さらに、本体ケース２の後面下部である下部ケース２ａの後面下部には、下方および後方に向けて開口し補助輪９を回転自在に軸支する凹状の車輪室１０が形成されている。
　【００１１】
　一方、電気掃除機本体１内には、格子状の連通孔１１を有する隔壁１２により、上方が開放された集塵室１３が、電気掃除機本体１の進行方向の前側に区画形成されているとともに、この集塵室１３の後方に電動送風機１４を収納した電動送風機室１５が区画形成されている。そして、集塵室１３内には、この集塵室１３内に枢着された図示しないホルダにより集塵袋が着脱自在に装着されている。
　【００１２】
　また、隔壁１２の前面には、その連通孔１１を覆う図示しない高性能フィルタを有した第１の補助集塵フィルタが着脱自在に装着されている。
　【００１３】
　なお、集塵袋および第１の補助集塵フィルタは、集塵室１３の上面開口を介して着脱される。そして、蓋体４は、上部ケース２ｂに後端部が枢着されており、集塵室１３を上方から開閉自在に覆うように形成されている。
　【００１４】
　一方、電動送風機室１５内には、図２に示すように、電動送風機１４が配設されている。この電動送風機１４は、図示しない例えばファンを軸にて回転駆動する電動部４１と、ファンを覆うファンカバー４２とからなっている。このファンカバー４２の前面中央部には吸気口３８が開口形成され、電動部４１のフレームには図示しない排気孔が開口形成されている。なお、電動部４１の後端面の略中央には、ファンを回転駆動させる図示しない軸を支持する軸受が内設されたモータヘッド４３が、後方に円柱状に突出形成されている。
　【００１５】
　また、電動送風機１４の前端部には、前端の外周縁に環状のゴム製支持体４５が嵌合され、後端部のモータヘッド４３には、ゴム製の緩衝体４６がモータヘッド４３を覆うように取り付けられている。
　【００１６】
　一方、上部ケース２ｂの下面には、下方に向かって突出しゴム製支持体４５を介してファンカバー４２を位置決め固定する図示しない上リブ前部、および、この上リブ前部より後方に位置して略平行に下方に向けて突出し下端部が緩衝体４６を介して電動部４１のモータヘッド４３を挟持固定する上リブ後部がそれぞれ突出形成されている。
　【００１７】
　また、下部ケース２ａの上面には、上方である上リブ前部に向けて対向して突出し、上端部にてファンカバー４２を固定する下リブ前部５０が突出形成されている。さらに、下部ケース２ａの上面には、上方である上リブ後部に向けて対向して突出し、上端部が電動部４１のモータヘッド４３を挟持固定する下リブ後部５１がそれぞれ突出形成されて、電動送風機１４が固定されている。なお、下リブ後部５１は、一縁が車輪室１０の上面に連続して形成されている。また、上リブ後部および下リブ後部５１の一縁側で車輪室１０の上方近傍には、上リブ後部および下リブ後部５１の当接する先端部分である当接部分に略円柱状で連結金具としてのねじ５２が螺着される連結部５３が設けられている。
　【００１８】
　そして、電動送風機１４の前端側はゴム製支持体４５により、電動送風機１４の吸気口３８が空気とともに吸引した塵埃を集塵する集塵袋を設けた集塵室１３に連通孔１１を介して気密に連通している。
　【００１９】
　また、電動送風機室１４の上部には電動送風機１４の駆動状態を制御する図示しない制御手段を搭載した回路基板が配設された回路室が区画形成されている。
　【００２０】
　一方、電気掃除機本体１内には、電動送風機室１５の後方に位置して、排気室６１が区画形成され、電気掃除機本体１の上部ケース２ｂの後側上部には、排気室６１を介して電動送風機１４の図示しない排気孔に連通する排気孔が、上部ケース２ｂの後側および上側に開口形成されている。そして、この排気室６１内には、第１の補助集塵フィルタと同様の図示しない高性能フィルタを備えた第２の補助集塵フィルタが着脱自在に配設されている。
　【００２１】
　また、電気掃除機本体１内の電動送風機室１５の側方には、電動送風機１４に電力を供給する電源コード６６を巻回するドラム６７を収納するドラム室６８が区画形成されている。
　【００２２】
　一方、本体ケース２の前側略中央には、カバー体７１が取り付けられて配電室７２が形成されている。この配電室７２は、略中央にホース７４の接続管７５を着脱自在に接続する図示しない吸込部が設けられ、このホース７４の接続管７５の接続により、電力を延長管７７を介して吸込口体７８の図示しない回転ブラシを回転させる電動機に給電する端子が配設されている。また、吸込部は、内側開口７６と外側開口とが相対向されて略円筒状に形成され、前部が電気掃除機本体１の前方へ開口しているとともに、後部が集塵室１３へ開口している。
　【００２３】
　一方、カバー体７１は、この吸込部を覆うように本体ケース２の外面に沿って彎曲する略板状に形成され、吸込部の外側開口に対向する略円形の挿入孔８１を開口形成している。また、カバー体７１の下縁近傍の両側には係合部としての略円形孔状の係合孔部８２，８２が設けられ、この下縁に対して反対側である上縁近傍の両側には略円形のねじ孔８３，８３および本体ケース２の幅方向にねじ孔８３の径より細長い略楕円形状の保持部としての嵌合孔８４，８４がそれぞれ設けられている。なお、嵌合孔８４とねじ孔８３とは、カバー体７１の取付方向である本体ケース２の走行方向である軸方向に沿って直線上に位置し、嵌合孔８４が前側に位置している。
　【００２４】
　また、配電室７２の下部には、下方に向けて略円柱状に突出しカバー体７１の係合孔部８２に嵌挿して係止する係止部としての爪部８６がそれぞれ設けられている。さらに、配電室７２の上部には、本体ケース２の軸方向に沿って前方に突出する一対の取付部８７，８７が設けられている。そして、取付部８７には、先端にカバー体７１の嵌合孔８４に係合する位置決め部としての断面略楕円形の嵌合凸部８８が設けられ、基端側にねじ取付孔８９が設けられている。そして、カバー体７１と取付部８７との関係は、嵌合凸部８８がカバー体７１の嵌合孔８４に係合した際、ねじ孔８３とねじ取付孔８９との中心がほぼ一致し、嵌合孔８４とねじ孔８３と、および、嵌合凸部８８とねじ取付孔８９との距離がなるべく近くなるように設定される。
　【００２５】
　そして、カバー体７１は、係合孔部８２が本体ケース２の爪部８６に係止されるとともに、嵌合孔８４に取付部８７の嵌合凸部８８が係合され、位置決めされたねじ孔８３からねじ取付孔８９に図示しないねじが螺着され、カバー体７１の上下方向の両側縁にてバンパ３の縁を配電室７２内に位置させて本体ケース２とにて挟持して保持し、本体ケース２の前面に取り付けられている。さらに、カバー体７１の配電室７２側である内側には、挿入孔８１を開閉自在に閉塞する図示しないシャッタが上下方向に摺動自在に支持されている。
　【００２６】
　次に、上記実施の一形態の動作について説明する。
　【００２７】
　カバー体７１を本体ケース２に取り付ける際には、まず、カバー体７１の係合孔部８２を本体ケース２の爪部８６にそれぞれ係止させ、このカバー体７１の下部を中心として上部を本体ケース２側に摺動させ、カバー体７１の上下方向の両側縁にて上部ケース２ｂおよび下部ケース２ａにて挟持されたバンパ３の配電室７２に位置する端部を本体ケース２に押し付けるように弾性に抗して挟み込み、さらにカバー体７１の上部を本体ケース２側に摺動させて本体ケース２の取付部８７の嵌合凸部８８にカバー体７１の嵌合孔８４を係合させる。なお、この嵌合凸部８８への嵌合孔８４の係合の際、カバー体７１の本体ケース２への取付方向に対して直交する方向である本体ケース２の幅方向に嵌合孔８４および嵌合凸部８８が略楕円形状となっており、嵌合凸部８８が通過するねじ孔８３の径より大きいため、嵌合凸部８８が途中のねじ孔８３に係合することはない。
　【００２８】
　そして、このカバー体７１の係合孔部８２が本体ケース２の爪部８６に係止され、かつ、カバー体７１の嵌合孔８４が本体ケース２の取付部８７の嵌合凸部８８に係合することにより、カバー体７１のねじ孔８３の中心が本体ケース２の取付部８７のねじ取付孔８９の中心に一致して、カバー体７１は本体ケース２に位置決めされて仮止めされる。そして、一致するねじ孔８３からねじ取付孔８９に図示しないねじを螺着してカバー体７１が本体ケース２に固定されて取り付けられる。
　【００２９】
　上記実施の形態によれば、可撓性を有するバンパ３を弾性に抗して本体ケース２に押さえ込みつつ、係合孔部８２の爪部８６への係止および嵌合孔８４の嵌合凸部８８への係合により、ねじ孔８３がねじ取付孔８９に一致して位置決めされカバー体７１を仮止めでき、可撓性のバンパ３を保持した状態でも容易にねじ止めできる。
　【００３０】
　また、嵌合孔８４およびねじ孔８３を、本体ケース２の軸方向に突設した取付体８７に軸方向に沿って前後方向に位置させて形成したため、カバー体７１を取り付ける方向に突出するカバー体７１を取り付けるための取付部８７に嵌合孔８４に係合して位置決めさせる嵌合凸部８８およびねじ取付孔８９を取付方向に沿って設けることができ、一対の取付部８７のみででき、構造が簡単化し容易に製造でき、小型化できるとともに、嵌合孔８４とねじ孔８３と、および、嵌合凸部８８とねじ取付孔８９との距離を容易に短くでき、ねじ孔８３とねじ取付孔８９との位置決めがさらに容易となる。
　【００３１】
　なお、上記実施の一形態において、カバー体７１に係合部としての係合孔部８２を設け、本体ケース２に係止部としての爪部８６を設けて説明したが、カバー体７１に係合部として爪部８６を設け、本体ケース２に係止部として係合孔部８２を設けても同様の効果が得られる。さらに、カバー体７１の保持部としての嵌合孔８４を設け、本体ケース２の取付部８７に位置決め部として嵌合凸部８８を設けたが、カバー体７１に保持部として嵌合凸部８８を設け、取付部８７に位置決め部として嵌合孔８４を設けてもできる。
　【００３２】（削除）
　【００３３】（削除）
　【００３４】
　【発明の効果】
　請
　【００３５】
　請求項２記載の電気掃除機によれば、請求項１記載の電気掃除機に加え、カバー体の保持部をケース体の位置決め部に係合させるカバー体の取付方向に沿ってカバー体をケース体に取り付ける取付部
に位
の一
ねじ孔
ねじ取付孔
【図面の簡単な説明】
　【図１】
　本発明の電気掃除機の実施の一形態の下部ケースを示す側面断面図である。
　【図２】
　同上電気掃除機本体を示す平面断面図である。
　【図３】
　同上下部ケースにカバー体を取り付ける状況を示す説明図である。
　【図４】
　同上電気掃除機本体を示す底面図である。
　【図５】
　同上電気掃除機本体を示す斜視図である。
　【図６】
　従来例の電気掃除機本体を示す一部を切り欠いた正面図である。
　【符号の説明】
　　１　　電気掃除機本体
　　２　　ケース体である本体ケース
　２ａ　　下ケースである下部ケース
　２ｂ　　上ケースである上部ケース
　　３　　バンパ
　１３　　集塵室
　１４　　電動送風機
　１５　　電動送風機室
　７１　　カバー体
　７４　　ホース
　７５　　接続管
　８１　　挿入孔
　８２　　係合部としての係合孔部
　８３　　ねじ孔
　８４　　保持部としての嵌合孔
　８６　　係止部としての爪部
　８７　　取付部
　８８　　位置決め部としての嵌合凸部
　８９　　ねじ取付孔